(57)【要約】【課題】進角方向及び遅角方向の両方向から中間ロック位置へ自動復帰して確実に中間ロックを行えるロック機構を提供する。【解決手段】内燃機関用カム軸位相可変装置を、スプロケットと共に回転するボディ２０と、このボディ２０に対して同一回転軸上で位相角を可変可能で、カム軸と共に回転するベーン２６と、ボディ２０とベーン２６との相対的な位相角を固定するロックピン４６とを備えて構成する。ロックピン４６を、ボディ２０に形成された第１係合部の支持面５０によってピン軸方向に沿って進退可能、かつピン軸周りに回転可能に支持すると共に、ベーン２６に形成された第２係合部に係合可能に設ける。第２係合部には、ベーン２６の遅角方向への回転時にロックピン４６と当接する当接面５２をピン軸に対して傾斜して形成し、ロックピン４６には、当接面５２に対向させてピン軸に対して傾斜した被当接面５８を形成する。【選択図】図５
2008267289.tif 000002
【特許請求の範囲】
【請求項１】
スプロケットと共に回転する第１回転体と、該第１回転体に対して同一回転軸上にかつ位相角を可変に設けられ、カム軸と共に回転する第２回転体と、前記第１回転体と第２回転体との相対的な位相角を固定するロックピンとを備えた内燃機関用カム軸位相可変装置であって、
前記ロックピンは、前記第１回転体及び第２回転体のいずれか一方の回転体に形成された第１係合部に係合可能に設けられ、第１係合部にピン軸方向に沿って進退可能に支持されるとともに、他方の回転体に形成された第２係合部に係合可能に設けられ、
前記第２係合部は、前記第２回転体の遅角方向への回転時に前記ロックピンと当接する当接面が前記ピン軸に対して傾斜して形成され、
前記ロックピンは、前記第２係合部の前記当接面に対向させて前記ピン軸に対して傾斜して設けられた被当接面を有し、かつ前記第１係合部に前記ピン軸周りに回転可能に支持されてなることを特徴とする内燃機関用カム軸位相可変装置。
【請求項２】
前記ロックピンをピン軸方向に沿って一方向に付勢する付勢機構と、該付勢機構による付勢を押し戻す油圧力を発生する油圧機構とを備え、
前記ロックピンの前記ピン軸に沿う方向の移動位置に応じて、前記第１回転体と第２回転体との相対的な位相角を固定するロック状態と、ロック状態を解除したロック解除状態とをとることを特徴とする請求項１に記載の内燃機関用カム軸位相可変装置。
【請求項３】
前記ロックピンは、前記ピン軸が前記第１回転体及び第２回転体の回転軸と平行するように設けられてなることを特徴とする請求項１又は２に記載の内燃機関用カム軸位相可変装置。
【請求項４】
前記一方の回転体の第１係合部と、前記他方の回転体の第２係合部とが、第１回転体及び第２回転体の回転軸を中心とする所定の半径を有する円を境として、一方が径方向の内側に、他方が外側に設けられてなることを特徴とする請求項３に記載の内燃機関用カム軸位相可変装置。
【請求項５】
前記一方の回転体の第１係合部、及び前記ロックピンの前記第１係合部に支持される被支持部のうち少なくともいずれか一方は、部分円筒面で形成されてなることを特徴とする請求項３に記載の内燃機関用カム軸位相可変装置。
【請求項６】
前記他方の回転体の第２係合部に形成された当接面、及び前記ロックピンの被当接面は、平面で形成されてなることを特徴とする請求項３に記載の内燃機関用カム軸位相可変装置。
【請求項７】
前記他方の回転体の第２係合部は、前記第２回転体の進角方向への回転時に前記ロックピンと当接するストッパ面が形成され、該ストッパ面は、階段状に拡幅して形成されてなることを特徴とする請求項３に記載の内燃機関用カム軸位相可変装置。
【請求項８】
スプロケットと共に回転する第１回転体と、該第１回転体に対して同一回転軸上にかつ位相角を可変に設けられ、カム軸と共に回転する第２回転体と、前記第１回転体と第２回転体との相対的な位相角を固定するロックピンとを備えた内燃機関用カム軸位相可変装置であって、
前記ロックピンは、前記第１回転体と第２回転体とに挟まれて前記第１回転体と第２回転体との相対的な位相角の変化を制限する際に、自転することにより、第１回転体及び第２回転体のいずれか一方に形成されピン軸に対して傾斜した当接面と当接する被当接面の角度を、前記当接面の角度に倣わせてなることを特徴とする内燃機関用カム軸位相可変装置。
【請求項９】
スプロケットと共に回転する第１回転体と、該第１回転体に対して同一回転軸の径方向内側にかつ位相角を可変に設けられ、カム軸と共に回転する第２回転体と、前記第１回転体と第２回転体との相対的な位相角を固定するロック機構とを備えた内燃機関用カム軸位相可変装置であって、
前記ロック機構は、前記第１回転体の内週部に形成された第１係合部と前記第２回転体の外周部に形成された第２係合部とに挟まれる位置に、ピン軸が前記第１回転体及び第２回転体の回転軸に沿うように設けられたロックピンと、該ロックピンをピン軸に沿った一方向に付勢する付勢機構と、前記ロックピンを前記付勢と反対方向に押し戻す油圧力を発生する油圧機構とを有し、
前記第１回転体の第１係合部は、前記ロックピンを前記ピン軸方向に進退可能に支持する部分円筒面を有して形成され、
前記第２回転体の第２係合部は、前記第２回転体の遅角方向への回転時に前記ロックピンと当接する前記ピン軸に対して傾斜した平面状の当接面と、前記第２回転体の進角方向への回転時に前記ロックピンと当接する２段階に拡幅されたストッパ面とを有して形成され、    
前記ロックピンは、円柱状部材の前記付勢機構の付勢方向の端部に前記ピン軸に対して傾斜して前記第２係合部の当接面と当接する平面状の被当接面が形成され、かつ前記第１係合部に前記ピン軸周りに回転可能に支持されてなることを特徴とする内燃機関用カム軸位相可変装置。
【請求項１０】
第１回転体と、該第１回転体に対して同一回転軸上にかつ位相角を可変に設けられ、該第１回転体を介して回転駆動される第２回転体と、前記第１回転体と第２回転体との相対的な位相角を固定するロックピンとを備えた位相可変装置であって、
前記ロックピンは、前記第１回転体及び第２回転体のいずれか一方の回転体に形成された第１係合部に係合可能に設けられ、第１係合部にピン軸方向に沿って進退可能に支持されるとともに、他方の回転体に形成された第２係合部に係合可能に設けられてなり、
前記第２係合部は、前記第２回転体の遅角方向への回転時に前記ロックピンと当接する当接面が前記ピン軸に対して傾斜して形成され、
前記ロックピンは、前記第２係合部の前記当接面に対向させて前記ピン軸に対して傾斜して設けられた被当接面を有し、かつ前記第１係合部に前記ピン軸周りに回転可能に支持されてなることを特徴とする位相可変装置。
【発明の詳細な説明】
【技術分野】
【０００１】
本発明は、２つの回転部材間の相対的な位相角を制御する位相可変装置及び内燃機関用カム軸位相可変装置に係り、特に、両回転部材間の相対的な位相角を固定するロック機構に関する。
【背景技術】
【０００２】
例えば４ストロークエンジンなどではクランクシャフトの回転によりタイミングベルト等を介して吸・排気用のカムシャフト先端のスプロケットが回転駆動される。基本的にはスプロケットとカムシャフトは協働して回転するものであるが、スプロケットとカムシャフトの間に組み込まれて両者の間の相対回転位置を変化させるものとして、内燃機関用カム軸位相可変装置（以下、ＶＴＣという。）が知られている。
【０００３】
ＶＴＣは、スプロケットと共に回転する第１回転体と、カムシャフトと共に回転する第２回転体などで構成されており、両回転体の相対的な位相角を制御することにより、クランクシャフトに対するカムシャフトの回転位相を変えて吸排気バルブの開閉タイミングを可変にする機能を備えている。
【０００４】
ところで、このようなＶＴＣに関して、特許文献１には、第１回転体に対する第２回転体の相対位相角を、最大進角状態と最大遅角状態との中間位置に相当する中間ロック位置に保持する機構について記載されている。この位相保持機構によれば、内燃機関（以下、適宜エンジンという。）の始動時に発生する第１回転体と第２回転体との打音を的確に防止することができるとされている。
【０００５】
【特許文献１】特開平１１−３４３８１９号公報
【発明の開示】
【発明が解決しようとする課題】
【０００６】
しかしながら、特許文献１を含めた従来技術において、油圧ＶＴＣで最大進角状態と最大遅角状態との中間で相対位相を保持するロック機構を実現するためにブレークスルーしなければならない技術課題として、（１）ロック位置までの駆動力に関する課題、（２）変動トルクの存在に関する課題、が挙げられる。
（１）ロック位置までの駆動力について説明すると、エンジン始動時にロック位置でロックされている必要があり、前回のエンジン停止時から停止中及びクランキング中の期間に、前回エンジンが停止したときのＶＴＣ位相からロック位置まで位相が変換（シフト）されていなければならない。上記の期間はＶＴＣの本来の駆動力（油圧駆動では油圧，電磁駆動では電磁力）が得られないので、バネ力や摩擦抵抗などにより自力でロック位置に向かう駆動力を確保しなければならない。
【０００７】
さらに、相対位相を中間位置でロックする場合には、前回のエンジン停止時のＶＴＣ位相によっては自力でロック位置へ復帰する際の位相変換方向が遅角方向だけでなく進角方向の場合も有りうる。カムシャフトにはバルブスプリングからの反力で変動トルクが作用しているが、その平均値はその軸受けやカム面における摩擦抵抗により常に遅角方向の値を持っている。ロック位置への復帰方向が遅角方向への一方向であればこの摩擦抵抗トルクに期待ができるが、遅角方向に加えて進角方向の場合の駆動力としては十分でない。両方向に位相変換するための駆動力を確保することが新たに必要とされる。
（２）変動トルクの存在について説明する。相対位相を中間位置でロックするためには自力でロック位置に復帰するため、遅角方向に加えて進角方向への駆動力も必要であるが単に両方向の自力駆動力を発生するだけで良ければ、力の方向の異なる２つのバネを組み合わせればよい。しかし、カムシャフトにバルブスプリングからの反力による変動トルクが作用していることが課題を複雑にしている。自力で復帰する位置は２つのバネ力（正確にはそのバネ力が発生するトルク）以外にカムシャフトに作用する変動トルクも含めたトータルモーメントの釣合いで決まるので、釣合い位置は必ず変動することとなる。
【０００８】
また、カムシャフトに作用するトルク変動は、ＶＴＣ位相をロックする手段としてロックピンを組み込む方式とした場合に、ロックピンと穴の嵌め合い隙間を小さくし過ぎると両者が嵌合し難くなり、さらに、ロックピンと穴の嵌め合い隙間を大きくし過ぎるとガタにより打音，損傷等が発生しやすくなるという課題を生じる。
【０００９】
ロックピン及び嵌合穴をテーパ状に形成すると、上述の嵌合し難いという課題は一見解決できそうであるが、部品寸法と組み立てにおける誤差からピン軸と穴軸とは所詮完全には一致させ得ない（特に、径方向のずれはゼロにできない）ので打音の課題は残ることとなる。また、テーパ状とすることでロックピンを解除する方向の分力が発生し、ロック機能の信頼性を損なうという新たな課題も懸念される。
【００１０】
特許文献１に記載された弁開閉時期制御装置では、進角方向と遅角方向の両方向から最大進角状態と最大遅角状態との中間に存在するロック位置(以下、中間ロック位置という)へ自動復帰させる構成について十分な配慮がなされているとは言えない。特許文献１では、半径方向に付勢される係止部材が中間ロック位置に復帰する際の案内となる扇形状の案内部の係止部材の移動方向に対する傾斜角が大きいので、トルク変動が作用したときに中間ロック位置から遠ざかる方向に動かされ易い。係止部がトルク変動によって中間ロック位置から遠ざかる方向に動かされるのを防ぐためには、係止部材を回転軸の径方向内方に向けて付勢する付勢手段の付勢力を大きくすればよいが、付勢力を大きくすると係止部と案内部の摩擦力が大きくなって係止部材の移動が滑らかに行われにくくなるなど、その他
の課題が生じてくる。
【００１１】
そこで、本発明は、進角方向及び遅角方向の両方向から中間ロック位置へ自動復帰して確実に中間ロックを行えるロック機構を提供することを課題とする。
【課題を解決するための手段】
【００１２】
上記課題を解決するため、本発明の内燃機関用カム軸位相可変装置は、スプロケットと共に回転する第１回転体と、この第１回転体に対して同一回転軸上にかつ位相角を可変に設けられ、カム軸と共に回転する第２回転体と、第１回転体と第２回転体との相対的な位相角を固定するロックピンとを備えて構成される。そして、ロックピンは、第１回転体及び第２回転体のいずれか一方の回転体に形成された第１係合部に係合可能に設けられ、第１係合部にピン軸方向に沿って進退可能に支持されるとともに、他方の回転体に形成された第２係合部に係合可能に設けられている。第２係合部は、第２回転体の遅角方向への回転時にロックピンと当接する当接面がピン軸に対して傾斜して形成されており、ロックピンは、第２係合部の当接面に対向させてピン軸に対して傾斜して設けられた被当接面を有し、かつ第１係合部にピン軸周りに回転可能に支持されてなることを特徴とする。
【００１３】
このような構成によれば、第２回転体が遅角側から中間ロック位置へ自動復帰する場合、クランキングによって第２回転体に対して進角方向のトルクが作用したときには回転が許容されるとともに、ロックピンがピン軸方向に沿って進み移動する。そして、続いて作用する反対の遅角方向のトルクに対しては当接、被当接面の摩擦力などにより回転を制限することができる。したがって、これらを繰り返すことにより第２回転体は除々に進角側へシフトしながらロックピンは奥に向かって移動し続け、最終的にはロックピンが他方の回転体の第２係合部によって狭まれて、進角遅角のいずれの方向にも回転できなくなり、中間ロック位置でロックされる。
【００１４】
一方、第２回転体が進角側から中間ロック位置へ自動復帰する場合、変動トルクの遅角側への偏りによって、第２回転体が除々に遅角側へシフトして最終的に他方の回転体の第２係合部に狭まれて中間ロック位置でロックされる。その結果、進角方向及び遅角方向の両方向から中間ロック位置へ自動復帰して確実に中間ロックを行うことができる。
【００１５】
さらに、本発明では、ロックピンが一方の回転体の第１係合部にピン軸周りに回転可能に支持されていることによって、ロックピンの被当接面と他方の回転体の当接面とが単一の傾斜平面で形成されていたとしても、それらの傾斜平面同士の接触時の片当たりを抑制して常に面接触を維持できるという利点がある。これにより、接触面圧を低く抑え信頼性を確保することができる。また、ロックピンの被当接面及び他方の回転体の当接面をいずれも単一の傾斜平面で構成できるので加工が容易になり低コストでしかも高精度の製造が可能になる。
【００１６】
このような本発明の内燃機関用カム軸位相可変装置において、ロックピンを進退可能とするために、ロックピンをピン軸方向に沿って一方向に付勢する付勢機構と、この付勢機構による付勢を押し戻す油圧力を発生する油圧機構とを備えて構成してもよい。これにより、ロックピンのピン軸に沿う方向の移動位置に応じて、第１回転体と第２回転体との相対的な位相角を固定するロック状態と、ロック状態を解除したロック解除状態とをとるようにしてもよい。
【００１７】
また、ロックピンを、ピン軸が第１回転体及び第２回転体の回転軸と平行するように設けることができる。また、一方の回転体の第１係合部と、他方の回転体の第２係合部とが、第１回転体及び第２回転体の回転軸を中心とする所定の半径を有する円を境として、一方が径方向の内側に、他方が外側に設けられるように構成することができる。
【００１８】
また、一方の回転体の第１係合部、及びロックピンの第１係合部に支持される被支持部のうち少なくともいずれか一方を、部分円筒面で形成することにより、ロックピンをピン軸周りに自転可能とすることができる。
【００１９】
また、他方の回転体の第２係合部に形成された当接面、及びロックピンの被当接面を、平面で形成することにより低コストでしかも高精度の製造が可能となる。
【００２０】
また、他方の回転体の第２係合部に、第２回転体の進角方向への回転時にロックピンと当接するストッパ面を形成し、このストッパ面を、階段状に拡幅して形成することができる。これによれば、ロックピンが一方向に付勢されている状態で中間位置ロック機能を実現し、ロックピンが押し戻されている状態では階段状に拡幅された逃げ部を利用してロック解除時のＶＴＣ本来の相対位相角の変換範囲を拡大することができる。
【００２１】
また、上述の課題を解決するため、本発明の位相可変装置は、第１回転体と、この第１回転体に対して同一回転軸上にかつ位相角を可変に設けられ、第１回転体を介して回転駆動される第２回転体と、第１回転体と第２回転体との相対的な位相角を固定するロックピンとを備えて構成される。そして、ロックピンは、第１回転体及び第２回転体のいずれか一方の回転体に形成された第１係合部に係合可能に設けられ、第１係合部にピン軸方向に沿って進退可能に支持されるとともに、他方の回転体に形成された第２係合部に係合可能に設けられる。この第２係合部は、第２回転体の遅角方向への回転時にロックピンと当接する当接面がピン軸に対して傾斜して形成される。さらに、ロックピンは、第２係合部の当接面に対向させてピン軸に対して傾斜して設けられた被当接面を有し、かつ第１係合部にピン軸周りに回転可能に支持されてなることを特徴とする。
【００２２】
これによれば、上述の内燃機関用カム軸位相可変装置の場合と同様の作用によって、進角方向及び遅角方向の両方向から中間ロック位置へ自動復帰して確実に中間ロックを行うことができる。さらに、ロックピンが一方の回転体の第１係合部にピン軸周りに回転可能に支持されていることによって、ロックピンの被当接面と他方の回転体の当接面とが単一の傾斜平面で形成されていたとしても、それらの傾斜平面同士の接触時の片当たりを抑制して常に面接触を維持できるという利点についても同様である。
【発明の効果】
【００２３】
本発明によれば、進角方向及び遅角方向の両方向から中間ロック位置へ自動復帰して確実に中間ロックを行えるロック機構を提供することができる。
【発明を実施するための最良の形態】
【００２４】
以下、本発明の実施形態を、図１〜図１７を用いて説明する。以下の説明は、本発明を内燃機関用カム軸位相可変装置に適用した場合の一例である。本発明は、これに限らず２つの回転部材の相対的な位相角を固定するロック機構に適用可能である。なお、同一機能部品については同一符号を付して重複説明を省略する。
【００２５】
まず、内燃機関用カム軸位相可変装置（以下、ＶＴＣという）の概要について図１を用いて簡単に説明する。４ストロークエンジンではクランク軸１０の回転によりタイミングベルト１２等を介して吸・排気用のカム軸１４先端のスプロケット１６が回転駆動される。その際に、カム軸１４は歯数比により２分の１に減速される。ここで、ＶＴＣ１８はスプロケット１６とカム軸１４との間に組み込まれて両者の間の相対回転位置を変化させるものであり、ＶＴＣ１８は、クランク軸１０に対するカム軸１４の回転位相を変えて吸排気バルブの開閉タイミングを可変にする機能を備えている。
【００２６】
このようなＶＴＣにおいて、進角方向及び遅角方向の両方向から中間ロック位置へ自動復帰して確実に中間ロックを行うことのできる本実施形態のＶＴＣの詳細を以下、実施例ごとに説明する。
【実施例１】
【００２７】
図２は、第１実施例の中間位置ロック解除状態でのＶＴＣ１８の側断面図であり、図３におけるＡ−Ａ断面を示している。図３は、図２におけるＢ−Ｂ断面による横断面図である。図４は第１実施例の中間位置ロック状態でのＶＴＣ１８の側断面図であり、図５におけるＣ−Ｃ断面を示している。図５は図４におけるＤ−Ｄ断面による横断面図である。
【００２８】
図１〜図５に示すように、スプロケット１６は、その外周に歯部１６ａが形成されており、歯部１６ａに噛み合う歯付きベルト（図示せず）を介して１／２に減速されてエンジンのクランク軸１０により回転駆動される。スプロケット１６には、第１回転部材を構成するボディ２０とフロントプレート２２が組み立てボルト２４により固定され一体化されている。したがって、本実施例では、第１回転部材はボディ２０及びフロントプレート２２などを含んで構成されている。
【００２９】
カム軸１４には、第２回転部材であるベーン２６がセンターボルト２８により固定されている。ベーン２６は、第１回転部材を構成するボディ２０に対して同一回転軸の径方向内側にかつ位相角を可変に設けられている。図３及び図５に示すように、ボディ２０とベーン２６の間には、遅角用油圧室３０と進角用油圧室３２が３対形成されている。各油圧室は、軸方行の両端開口部をスプロケット１６とフロントプレート２２に閉塞され、アペックスシール３４により半径方向隙間をシールされて密閉空間となっている。
【００３０】
図２及び図３に示した中間位置ロック解除状態では、スプロケット１６，ボディ２０，解除ピストン３６などに囲まれた解除油圧室３８に、図６に示す油圧経路を経由してエンジンによって駆動された給油ポンプ（図示せず）から油圧が導入されており、解除ピストン３６がロックバネ４０の力に逆らってフロント側（図１の左方向）に最大限押し出された状態である。解除ピストン３６は、フロントプレート２２に当接することでフロント側への最大変位を規制されている。また、ボディ２０に固定されたピン４２がその溝部３６ａに挿入されている。
【００３１】
解除ピストン３６には連結ピン４４が固定されており、その一部がロックピン４６の溝部４６ａに嵌合されているため、解除ピストン３６とロックピン４６とは軸方向に一体で移動することとなり、ロックピン４６もフロント側に押し出されている。
【００３２】
解除油圧室３８に至る上記油圧経路を、図６を用いて説明する。油圧はまずカム軸１４の周囲に一点鎖線で表示されたカム軸受けの油圧供給孔から、カム軸１４の外周に形成された油圧溝の１つである解除油圧溝１４ａに供給される。他の２つの油圧溝は遅角用油圧室３０及び進角用油圧室３２に油圧を供給するための溝であるが、その後の経路は従来技術と同じでありここでは説明を省略する。
【００３３】
解除油圧溝１４ａに供給された油圧は、第１給油孔１４ｂ，第２給油孔１４ｃ，第３給油孔１４ｄを経由して、スプロケット１６の回転を支持するカム軸１４の外周円筒面に至る。第３給油孔１４ｄの開口部に対応するスプロケット１６の内周円筒面には、カッターで三日月状の形状をした溝部１６ｃが形成されている。溝部１６ｃは、円周方向に十分な長さを有しており、スプロケット１６とカム軸１４とが位相角の制御範囲で相対回転しても常に第３給油孔１４ｄとの連通は保たれる。溝部１６ｃからは、第４給油孔１６ｄ，第５給油孔１６ｅを経由して解除油圧室３８に油圧が供給される。なお、第４給油孔１６ｄの外周部への開口はプラグ４８によって塞がれている。
【００３４】
続いて、本実施例の特徴部であるボディ２０とベーン２６との相対的な位相角を固定するロック機構について説明する。
【００３５】
ロック機構を構成するロックピン４６は、ボディ２０の円筒内週部に形成された第１係合部とベーン２６の円筒外周部に形成された第２係合部とに挟まれる位置に、ピン軸がボディ２０及びベーン２６の回転軸に平行するように沿って設けられている。また、ロックピンをピン軸に沿ってエンジン側（図２の右方向）に付勢する付勢機構が、上述の連結ピン４４，ロックバネ４０，解除ピストン３６などで構成されている。また、上述のようにロックピン４６をフロント側に押し戻す油圧力を発生する油圧機構が備えられている。ロック機構は、ロックピン４６，付勢機構，油圧機構などで構成されている。
【００３６】
ボディ２０に形成されている３個所の円筒内周部のうちの１つに、ロックピン４６をピン軸方向に進退可能に支持する第１係合部が形成されている。この第１係合部には、ピン軸に沿って傾斜のないストレートな部分円筒形状の支持面５０が形成されている。
【００３７】
また、この支持面５０の内周側に対向するベーン２６中央部の円筒外周部には、第２係合部が形成されている。第２係合部は、ベーン２６の遅角方向への相対的な回転時にロックピン４６と当接する当接面５２と、ベーン２６の進角方向への相対的な回転時にロックピン４６と当接するストッパ面５４とを有して形成されている。なお、図面上時計回りの方向を進角方向とし、反時計回りの方向を遅角方向とする。
【００３８】
当接面５２は、図７において影を付して示すように、ピン軸に対して遅角方向に傾斜した単一平面で形成されている。また、ストッパ面５４は、図７において斜線を付して示すように、ピン軸に対してほぼ平行なストレートなストッパ面５４が２段階に拡幅されており、拡幅された部分にロックピン４６の逃げ部５６が形成されている。
【００３９】
また、ロックピン４６は、図７，８に示すように、円柱状の部材であって、付勢機構の付勢方向の端部（エンジン側の端部）に、ピン軸に対して傾斜した単一平面の被当接面５８が形成されている。図８は、本実施例の解除ピストン３６，連結ピン４４，ロックピン４６の形状説明図である。この被当接面５８は、ベーン２６に形成された当接面５２と対向して当接するように形成されている。なお、以下の説明では、ロックピン４６の外周面のうち、被当接面５８以外の外周円筒面を便宜的に被支持面６０という。被支持面６０はピン軸方向に沿ってストレートな面である。
【００４０】
続いて、本実施例のＶＴＣの動作について図９〜１２を用いて説明する。図９は、中間ロック解除時の位相制御範囲を示す模式図であり、図１０は、カム軸の変動トルクを説明するための模式図である。図１１は、遅角側から進角側に向かう過程での中間位置ロックの動作を説明する模式図であり、図１２は、進角側から遅角側に向かう過程での中間位置ロックの動作を説明する模式図である。なお、図９の上段は、ボディ２０と、これに挟まれたロックピン４６との断面を示し、下段は、ベーン２６とこれに挟まれたロックピン４６との断面を示すものである。図１１，１２において、上段は、図３又は５におけるＥ−Ｅ断面図であり、下段は、図３又は５におけるＦ−Ｆ断面図である。
【００４１】
上述のように、ボディ２０は、スプロケット１６などを介してエンジンのクランク軸１０によりこれと同期して回転駆動される。また、ベーン２６は、ボディ２０を介してカム軸１４と一体に回転駆動される。したがって、以下の説明では、適宜ボディ２０を駆動部材、ベーン２６を従動部材という。また、動作説明の便宜のため、ボディ２０の支持面５０のうち、カム軸位相可変装置全体の進角回転方向を向いた面を駆動部材進角面２０ａとし、遅角回転方向を向いた面を駆動部材遅角面２０ｂとする。また、ベーン２６のストッパ面５４を従動部材進角面２６ｂとし、ベーン２６の当接面５２を従動部材遅角面２６ａとする。
【００４２】
なお、本発明を適用したＶＴＣには、上記の構成とは別に、エンジン始動後の通常の制御状態において第１回転部材と第２回転部材との位相を変化させるための位相変換機構も組み込まれているものとする。通常制御状態においては、上述の油圧機構により油圧力が与えられており、ロックピン４６はフロント側に押し戻されている。この場合、図９上段に示すように、ロックピン４６は、ボディ２０の駆動部材進角面２０ａと駆動部材遅角面２０ｂとに拘束されており、装置全体の回転方向の動きについてはボディ２０と一体である。しかし、下段に示すように、ベーン２６は、ボディ２０及びロックピン４６に対して、最遅角制御状態から最進角制御状態までの範囲で相対的な位相角を制御可能である。
【００４３】
この位相角の制御は、従来技術と同様に油圧などによって進角方向及び遅角方向の駆動力を与えることによって行われる。つまり、ボディ２０とベーン２６は遅角用油圧室３０に昇圧された油を導入してその容積を増大させつつ進角用油圧室３２の油を排出してその容積を減少させることで遅角方向（カムシャフトの回転位相が遅れる方向）に位相変換をさせ、逆に、進角用油圧室３２の容積を増大させつつ遅角用油圧室３０の容積を減少させることで進角方向(カムシャフトの回転位相が進む方向)に位相変換させることができ、これらで従来の油圧を用いたベーン式の位相変換機構が形成されている。
【００４４】
一方、エンジン停止時あるいは再始動時のクランキング中は、位相変換機構が機能せず油圧力などが得られないため、ロックピン４６は、ロックバネ４０などの付勢手段によりピン軸方向に沿ってエンジン側へ移動しようとする。この状態において、以下に説明する原理によりどの位置からでも位相変換範囲の中間位置にあるロック位置に向かう駆動力を発生し、所定の中間ロック位置に自動復帰させて位相を固定する事ができる。
【００４５】
エンジンのクランキング中は、カム軸には、摩擦抵抗によって図１０に示すように、平均的には必ず正の値のトルク（カムシャフトの回転を遅らせようとする遅角方向のトルク）が作用しているので、ボディ２０に対してベーン２６は必ず遅角方向へ位相変換を行う。
【００４６】
最初に、ＶＴＣを中間ロック位置より遅角側で運転している状態でエンジンが停止したような場合に、最遅角位置からクランキング中に自力で所定の中間ロック位置まで位相変換してロック状態になる過程について説明する。
【００４７】
図１１（ａ）は、ベーン２６が最遅角位相の状態でエンジンが停止して、解除ピストン３６に供給されていた油圧が無くなり、ロックピン４６がロックバネ４０の力を受けて図の上方（エンジン側）に移動して静止している状態である。この時、ロックピン４６は、上述の遅角方向のトルクにより駆動部材進角面２０ａと従動部材遅角面２６ａに挟まれて遅角方向の位相変換が規制される状態となる。
【００４８】
ここで、カム軸１４にはバルブスプリングからの反力により正負の範囲にわたって変化する変動トルクが作用しており、ロックピン４６には平均的な遅角方向トルクよりさらに大きな遅角方向トルクのピーク値が作用するが、そのピークトルクが作用しても次の理由によってロックピン４６が付勢手段により移動しようとしていた方向と逆方向に押し戻されることはない。
【００４９】
すなわち、ロックピン４６と駆動部材進角面との接触部から、ロックピン４６と従動部材遅角面との接触部までの距離は、付勢手段の付勢方向に向かうにしたがって減少する構成になっている。ここではその割合を十分小さくしてあるので遅角方向トルクによってロックピン４６に作用する接触力に対して、その反付勢方向分力（ロックピン４６を押し戻そうとする力）を十分小さくすることができる。これは、ロックピン４６に作用する摩擦抵抗（ロックピン４６が押し戻されるのを防止する力）は、概ね上記の接触力に比例して大きくなり得るので、結局、摩擦抵抗により反付勢方向分力が打ち消されるためである。
【００５０】
続いて、カム軸１４から正負の範囲にわたって変化する変動トルクが作用するので、次の瞬間にはボディ２０に対してベーン２６が負のトルクによって進角方向に位相変換しようとする。上記の通り中間ロック状態にないこの段階では、未だ進角方向への位相変換が可能であるので、ベーン２６は進角方向に相対的に回転する（図１１（ｂ）の状態）。すると、ロックピン４６は挟まれた状態から解放されて駆動部材進角面２０ａと従動部材遅角面２６ａとの間の接触力が消滅する。この結果、ロックピン４６は、摩擦抵抗に阻害されることなくバネ力を利用した付勢手段によって一方の軸方向に移動することになる。
【００５１】
ロックピン４６が上記軸方向に移動することは駆動部材進角面２０ａと従動部材遅角面２６ａとの距離が広がることを意味しており、駆動部材進角面２０ａの固定されたボディ２０に対して従動部材遅角面２６ａの固定されたベーン２６が進角方向に自動的に位相変換していく。
【００５２】
したがって、このようにベーン２６のボディ２０に対する相対的な遅角方向の回転は規制され、一方で進角方向の回転は許容されるので、変動トルクの作用によってこれらの状態を繰り返すことにより、図１１（ａ）〜（ｄ）のようにベーン２６は除々に進角側へシフトし、ロックピン４６は奥に向かって移動し続ける。
【００５３】
しかしながら、図１１の下段に示すように、ベーン２６が除々に進角側へシフトしていくと、ロックピン４６がベーン２６の従動部材進角面２６ｂ（ストッパ面５４）と当接して、ベーン２６とボディ２０とに挟まれた状態となる（図１１（ｅ）の状態）。この時点で、ロックピン４６が駆動部材進角面２０ａと従動部材遅角面２６ａに挟まれて遅角方向の位相変換が規制された状態と、駆動部材遅角面２０ｂと従動部材進角面２６ｂとに挟まれて進角方向の位相変換が規制された状態とが同時に実現し、ボディ２０とベーン２６とがどちらの方向にも相対回転できないロック状態が実現される。
【００５４】
このロック状態となった後に初爆をさせてエンジンが始動し、給油ポンプから十分な油圧が供給されるようになると、油圧ピストンなどを用いた駆動手段が作動しロックピン４６を逆の軸方向に駆動する。ロックピン４６がこの軸方向へ移動すると、駆動部材進角面２０ａと従動部材遅角面２６ａとの間、及び駆動部材遅角面２０ｂと従動部材進角面２６ｂとの間に隙間が発生し、ベーン２６がボディ２０に対して進角又は遅角方向に位相変換できるようになる。
【００５５】
次に、ＶＴＣを中間ロック位置より進角側で運転している状態でエンジンが停止した時に、最進角位置からクランキング中に自力で所定の中間ロック位置まで位相変換してロック状態になる過程について、図１２を用いて説明する。
【００５６】
図１２（ａ）は、ベーン２６が最進角位相の状態でエンジンが停止して、解除ピストン３６に供給されていた油圧が無くなり、ロックピン４６がロックバネ４０の力を受けて図の上方（エンジン側）に移動して静止している状態である。この時、ロックピン４６は逃げ部５６にあり、先端がベーン２６の拡幅された段差面に当接して静止している。
【００５７】
エンジン始動時のクランキングが始まると、クランク軸１０により駆動されてスプロケット１６及びボディ２０は回転を始めるが、ロックピン４６が駆動部材進角面２０ａと従動部材遅角面２６ａによって挟まれた状態とならないとボディ２０から駆動力を伝達されず静止したままである。
【００５８】
つまり、ロックピン４６が従動部材遅角面２６ａに接触するまでは必然的にベーン２６はロックピン４６に対して遅角方向に位相変換を行う。この遅角方向の位相変換の過程では、図１２（ｃ）までのようにロックピン４６は軸方向に移動せず先端部がベーン２６の段差面に沿った状態で遅角方向(中間ロック位置方向)への位相変換を行う。
【００５９】
そして、遅角方向への位相変換が進行してロックピン４６の先端部が段差面の範囲を通り過ぎると、ロックピン４６はロックバネ４０の力によって軸方向への移動を行い、図１２（ｄ）のようにロックピン４６と従動部材遅角面２６ａが除々に接近していく。そして、ベーン２６の回転は遅角方向に偏っているので、遅角方向の位相変換はさらに進行して、最終的には図１２（ｅ）のロック状態となり、中間ロック位置に向かって遅角方向に自動復帰したことになる。
【００６０】
以上の説明において、構造的には、駆動部材進角面２０ａ及び従動部材遅角面２６ａは、本質的にそれぞれ進角方向及び遅角方向を指向する面であり、駆動部材遅角面２０ｂ及び従動部材進角面２６ｂは、本質的にそれぞれ遅角方向側及び進角方向側を指向する面である。一方、駆動部材進角面２０ａと従動部材遅角面２６ａとは、ボディ２０に対するベーン２６の遅角方向への位相変換を規制する面であり、駆動部材遅角面２０ｂと従動部材進角面２６ｂとは、それぞれボディ２０に対するベーン２６の進角方向への位相変換を規制する面である。
【００６１】
したがって、機能的に見れば、駆動部材進角面２０ａ及び従動部材遅角面２６ａは、それぞれボディ２０（駆動部材）に形成された遅角方向位相変換規制面、及びベーン２６（従動部材）に形成された遅角方向位相変換規制面である。また、駆動部材遅角面２０ｂ及び従動部材進角面２６ｂは、それぞれボディ２０（駆動部材）に形成された進角方向位相変換規制面、及びベーン２６（従動部材）に形成された進角方向位相変換規制面である。
【００６２】
以上のように、本実施例によれば、遅角側からも進角側からも中間ロック位置に向かって自動復帰されてロックすることが可能である。また、ＶＴＣを中間ロックすることにより、エンジン始動直後からバルブオーバーラップを利用して、高濃度ＨＣを再吸入及び燃焼することができるので、エンジン始動直後のＨＣ排出量を低減することができる。また、中間ロック時にロックピン４６周囲の接触面のガタを排除することができ、ボディ２０に逃げ部５６を形成するにより中間位置ロック解除状態での位相変換の制御範囲を拡大することができる。
【００６３】
なお、ボディ２０に形成される当接面を、当接面を単一の平面で形成するのではなく、階段状に拡幅した複数平面で形成することもできる。これによれば、ロックピンが油圧機構により押し戻されてロック解除状態となっているときの、ボディ２０とベーン２６との相対的な位相角の変換範囲を拡大することができる。  
さらに、本実施例の特徴構成による効果の説明をする。本発明のロックピン４６は、ボディ２０に対してある有限の範囲でピン軸回りに回転可能であり、ベーン２６に対しては当接面５２にロックピンの被当接面５８が倣う構成である。
【００６４】
ロックピン４６がボディ２０により回転可能に支持されることによって、ロックピン４６とベーン２６の接触面がそれぞれ単一の傾斜平面であっても、ロックピン４６が軸方向に刺さる過程でのそれらの傾斜平面同士の面接触が常に維持できるという利点がある。
【００６５】
本発明のＶＴＣでは、遅角方向の位相変換を規制する際にロックピンの被当接面５８とベーンの当接面５２（従動部材遅角面２６ａ）が接触する。今、ロックピン４６がピン軸方向の手前位置から中間位置を経て奥部位置へと刺さっていく過程を考える。ピン軸に沿った各位置でのロックピンの先端面を含む軸直角断面を図１３（ａ），（ｂ），（ｃ）に示す。
【００６６】
各断面におけるベーン接触面の方向とボディ内周の接線方向とのなす角度を、それぞれの断面においてα１、α２、α３とすると、ベーンの当接面５２は単一の傾斜平面であることから、上記の各角度の間はα１＞α２＞α３の関係となり、ベーン接触面の方向とボディ内周の接線方向のなす角度はロックピンが軸方向へ刺さっていく過程で変化することが分かる。
【００６７】
ロックピンの接触面である被当接面５８がベーンの接触面である単一の傾斜平面の当接面５２と常に面接触を維持しているためには、ロックピン４６がボディ内周の接線方向に対して回転できる必要がある。つまりロックピン４６が、これを収容するボディ２０の軸平行溝に対して回転できる必要がある。本実施例では、ロックピン４６は外周の被支持面６０が円筒面であり、ボディ２０の円筒形溝で形成された支持面５０によって支持されているので上記の回転が可能である。したがって、ロックピン４６の被当接面５８とベーン２６の当接面５２との面接触を常に維持することができ、接触面圧を低く抑え信頼性を確保することができる。また、ロックピンの被当接面５８とベーンの当接面５２をいずれも単一の傾斜平面で構成できるので加工が容易になり低コストでしかも高精度の製造が可能になる。
【００６８】
また、ロックピン４６とベーン２６の当接、被当接面の片当たりが回避でき、信頼性を向上できる利点がある。片当たり回避の動作について説明する。図１４は、図１３と同様にピン軸に沿った各位置でのロックピンの先端面を含む軸直角断面を示す図である。図１４（ａ）は、ロックピン４６とベーン２６が当接する前の状態を示している。この状態からベーン２６が図の矢印の方向にトルクを受けて移動する。
【００６９】
図１４（ｂ）は、ベーン２６が回転し、ロックピン４６と接触した最初の瞬間を示している。このときには、ロックピン４６の被当接面５８とベーン２６の当接面５２との向きが一致しない場合がある。この状態から、さらにベーン２６がトルクを受けて回転し、図１４（ｃ）の状態になる。図1４（ｃ）は、ロックピン４６とベーン２６の当接、被当接面が完全に面接触し、ロックピン４６を挟んでボディ２０とベーン２６とが間接的に接触し、遅角方向相対位相変化を阻止されている状態を示している。
【００７０】
もしロックピン４６が回転できないと、図1４（ｂ）の状態でロックピン４６が挟まれることになる。このときには、ロックピン４６とベーン２６は点接触となってしまい、圧縮力作用時に過度な応力が作用する。この応力が部品の変形や破壊の原因となり、問題である。本実施例のようにロックピン４６がピン軸回りに自転できるようにすると、（ｂ）の状態から（ｃ）の状態にロックピンが回転し、ロックピンの被当接面５８がベーンの当接面５２に倣うことができる。ロックピンの被当接面５８がベーンの当接面５２に倣うことで、ロックピン４６とベーン２６とは面で接触できる。面接触により、局所的に過度な応力が作用することが回避でき、信頼性を向上することができる。
【００７１】
このようにロックピン４６を軸回りに自転可能とするための、ロックピン、連結ピン、及び解除ピストンの構成例について説明する。図１５はロックピン、連結ピン、及び解除ピストンを、ロックピンの軸に直交する断面で模式的に示す図である。
【００７２】
図１５（ａ）のように、解除ピストン３６と連結ピン４４との連結部に隙間を形成することで、ロックピン４６の回転を許容することができる。この場合、構成部材の形状が単純で、ロバスト性を向上することができる。また、図１５（ｂ）のように、ロックピン４６と連結ピン４４との連結部においてロックピン４６の回転を許容することもできる。この場合、連結ピン４４の動きが小さく、解除ピストン３６の回転止めを不要とすることができる。
【実施例２】
【００７３】
次に、本発明の第２実施例のＶＴＣについて説明する。実施例１と重複する部分については説明を省略する。
【００７４】
図１６は、本実施例の中間位置ロック状態での側断面図であり、図１７におけるＨ−Ｈ断面を示している。図１７は、図１６におけるＩ−Ｉ断面による横断面図である。
【００７５】
図１７に示すように、本実施例では、ロックピン４６そのものの形状は変わらないが、ロックピン４６の被支持面６０がベーン２６に形成された支持面６４によってピン軸方向に進退可能に支持されている。ベーン２６に形成される支持面６４は、実施例１でボディ２０に形成された支持面５０のように、軸方向にそってストレートな部分円筒面である。したがって、ロックピン４６はベーン２６によって拘束され、両者は装置全体の回転方向に対しては協働する。
【００７６】
一方、ボディ２０には、実施例１でベーン２６に形成された当接面５２と同様のピン軸に対して傾斜する当接面６６が形成されている。この当接面６６はベーン２６の遅角方向への相対的な回転時にロックピン４６の被当接面５８と当接する面であり、ピン軸に対して進角方向に傾斜して形成される。
【００７７】
また、実施例１でベーン２６に形成されたストッパ面５４と同様のストッパ面６８が形成される。これは、ベーン２６の進角方向への相対的な回転時にロックピン４６と当接する面であり、ピン軸に対してほぼ平行なストレート形状のストッパ面６８が２段階に拡幅されており、拡幅された部分にロックピン４６の逃げ部が形成される。
【００７８】
このように、本実施例は、実施例１に対して、ロックピン４６をピン軸方向に沿って進退可能に、かつロックピンをピン軸周りに回転可能に支持する第１係合部と、ベーン２６の遅角方向への相対的な回転時にロックピンと当接する当接面が前記ピン軸に対して傾斜して形成され、かつベーン２６の進角方向への相対的な回転時にロックピンと当接するストッパ面が形成された第２係合部とが、入れ替わって構成される。
【００７９】
このような構成によっても、図１１，１２で説明したのと同様の原理によって、遅角側からも進角側からも中間ロック位置に向かって自動復帰されてロックすることが可能である。また、ＶＴＣを中間ロックすることにより、エンジン始動直後からバルブオーバーラップを利用して、高濃度ＨＣを再吸入及び燃焼することができるので、エンジン始動直後のＨＣ排出量を低減することができる。
【００８０】
さらに、本実施例においても、ロックピンは軸周りに自転可能であるので、ロックピン４６とボディの当接、被当接面を単一の傾斜平面で形成しても、ロックピン４６が軸方向に刺さる過程でのそれらの傾斜平面同士の面接触を常に維持することができる。同様に、ロックピン４６とボディ２０との当接、被当接面の片当たりを回避して、信頼性を向上できる  
【図面の簡単な説明】
【００８１】
【図１】内燃機関用カム軸位相可変装置の概要を説明する図である。
【図２】第１実施例の中間位置ロック解除状態でのＶＴＣの側断面図であり、図３におけるＡ−Ａ断面を示す図である。
【図３】図２におけるＢ−Ｂ断面による横断面図である。
【図４】第１実施例の中間位置ロック状態でのＶＴＣの側断面図であり、図５におけるＣ−Ｃ断面を示す図である。
【図５】図４におけるＤ−Ｄ断面による横断面図である。
【図６】中間位置ロックの解除油圧室への油圧経路を説明する図である。
【図７】ベーン及びロックピンの斜視図である。
【図８】第１実施例の解除ピストン，連結ピン，ロックピンの形状説明図である。
【図９】中間ロック解除時の位相制御範囲を示す模式図である。
【図１０】カム軸の変動トルクを説明するための模式図である。
【図１１】遅角側から進角側に向かう過程での中間位置ロックの動作を説明する模式図である。
【図１２】進角側から遅角側に向かう過程での中間位置ロックの動作を説明する模式図である。
【図１３】ピン軸に沿った各位置でのロックピンの先端面を含む軸直角断面図である。
【図１４】ピン軸に沿った各位置でのロックピンの先端面を含む軸直角断面を示す図である。
【図１５】ロックピン、連結ピン、及び解除ピストンを、ロックピンの軸に直交する断面で模式的に示す図である。
【図１６】第２実施例の中間位置ロック状態でのＶＴＣの側断面図であり、図１７におけるＨ−Ｈ断面を示す図である。
【図１７】図１６におけるＩ−Ｉ断面による横断面図である。
【符号の説明】
【００８２】
１０  クランク軸
１４  カム軸
１６  スプロケット
１８  ＶＴＣ
２０  ボディ
２４  ボルト
２６  ベーン
２８  センターボルト
３０  遅角用油圧室
３２  進角用油圧室
３６  解除ピストン
３８  解除油圧室
４０  ロックバネ
４４  連結ピン
４６  ロックピン
４８  プラグ
５０、６４  支持面
５２、６６  当接面
５４、６８  ストッパ面
５６  逃げ部
５８  被当接面
６０  被支持面
【図１】
2008267289.tif 000003
【図２】
2008267289.tif 000004
【図３】
2008267289.tif 000005
【図４】
2008267289.tif 000006
【図５】
2008267289.tif 000007
【図６】
2008267289.tif 000008
【図７】
2008267289.tif 000009
【図８】
2008267289.tif 000010
【図９】
2008267289.tif 000011
【図１０】
2008267289.tif 000012
【図１１】
2008267289.tif 000013
【図１２】
2008267289.tif 000014
【図１３】
2008267289.tif 000015
【図１４】
2008267289.tif 000016
【図１５】
2008267289.tif 000017
【図１６】
2008267289.tif 000018
【図１７】
2008267289.tif 000019